(57)【要約】【課題】ディスプレイパネルの点灯検査装置において、ディスプレイパネルをパネル保持部に安定してセットできるようにする。【解決手段】ディスプレイパネル７を点灯表示させて検査を行う点灯検査装置において、ディスプレイパネル７を保持した状態でディスプレイパネル７にほぼ垂直な方向に移動することにより、ディスプレイパネル７を所定場所に設置する複数のパネル受け手段９と、複数のパネル受け手段９の移動距離のばらつきが所定の範囲内になるように複数のパネル受け手段９を制御する制御手段を有する。【選択図】図４
2005148361.tif 000002
【特許請求の範囲】
【請求項１】
ディスプレイパネルを点灯表示させて検査を行う点灯検査装置において、ディスプレイパネルを保持した状態で前記ディスプレイパネルにほぼ垂直な方向に移動することにより、前記ディスプレイパネルを所定場所に設置する複数のパネル受け手段と、前記複数のパネル受け手段の移動距離のばらつきが所定の範囲内になるように前記複数のパネル受け手段を制御する制御手段を有することを特徴とするディスプレイパネルの点灯検査装置。
【請求項２】
制御手段は、パネル受け手段のそれぞれの移動距離を計測する計測手段と、その計測手段の計測値に応じて前記パネル受け手段のそれぞれの速度を制御する速度制御装置とを有することを特徴とする請求項１に記載のディスプレイパネルの点灯検査装置。
【請求項３】
計測手段は、複数のスリットを設けたスリット部材、光センサおよび光源を有し、前記スリットを通過した前記光源からの光を前記光センサで検出することにより、パネル受け手段の移動距離を計測するように構成されたことを特徴とする請求項２に記載のディスプレイパネルの点灯検査装置。
【発明の詳細な説明】
【技術分野】
【０００１】
本発明は、プラズマディスプレイや液晶ディスプレイなどのディスプレイパネルに駆動回路を実装する前に、ディスプレイパネルに点灯信号を入力して表示し、画質検査を行うディスプレイパネルの点灯検査装置に関するものである。
【背景技術】
【０００２】
一般に、液晶ディスプレイやプラズマディスプレイなどのディスプレイパネルはパネルに駆動回路が実装され製品化される。製造工程では、実装工程への不良パネルの流出を防ぐため、駆動回路実装前に点灯信号を入力し、点灯検査を行っている。
【０００３】
図６は、従来のディスプレイパネルの点灯検査装置のブロック図である。ディスプレイパネルの点灯検査装置は、パネル保持部１およびパネル保持部１にセットされるディスプレイパネルを点灯させるための駆動回路２とを備えたパネル検査部３と、駆動回路２へ電力を供給する電源４と、駆動回路２へ信号を供給する信号発生装置５と、電源４および信号発生装置５を制御するパーソナルコンピュータ等の制御装置６で構成されている。
【０００４】
この種のディスプレイパネルの点灯検査装置として、検査用プローブピンを用いたもの（例えば特許文献１参照）が知られているが、この検査用プローブピンに代えて、フレキシブルプリント配線板（ＦＰＣ）に形成した電極を点灯検査用のプローブとして用いることも考えられている。
【特許文献１】特許第２９５３０３９号公報
【発明の開示】
【発明が解決しようとする課題】
【０００５】
本発明は、このようなディスプレイパネルの点灯検査装置において、ディスプレイパネルをパネル保持部に安定してセットできるようにすることを目的とする。
【課題を解決するための手段】
【０００６】
上記目的を達成するために本発明は、ディスプレイパネルを保持した状態で前記ディスプレイパネルにほぼ垂直な方向に移動することにより、前記ディスプレイパネルを所定場所に設置する複数のパネル受け手段と、前記複数のパネル受け手段の移動距離のばらつきが所定の範囲内になるように前記複数のパネル受け手段を制御する制御手段を有することを特徴とするディスプレイパネルの点灯検査装置である。
【発明の効果】
【０００７】
本発明によれば、ディスプレイパネルを点灯検査装置のパネル保持部にセットするときに、ディスプレイパネルが破損するなどのような不具合が発生することなく、ディスプレイパネルを安定してセットすることができる。
【発明を実施するための最良の形態】
【０００８】
すなわち、本発明の請求項１に記載の発明は、ディスプレイパネルを点灯表示させて検査を行う点灯検査装置において、ディスプレイパネルを保持した状態で前記ディスプレイパネルにほぼ垂直な方向に移動することにより、前記ディスプレイパネルを所定場所に設置する複数のパネル受け手段と、前記複数のパネル受け手段の移動距離のばらつきが所定の範囲内になるように前記複数のパネル受け手段を制御する制御手段を有することを特徴とするディスプレイパネルの点灯検査装置である。
【０００９】
また、請求項２に記載の発明は、請求項１に記載された発明において、制御手段は、パネル受け手段のそれぞれの移動距離を計測する計測手段と、その計測手段の計測値に応じて前記パネル受け手段のそれぞれの速度を制御する速度制御装置とを有することを特徴とする。
【００１０】
さらに、請求項３に記載の発明は、請求項２に記載された発明において、計測手段は、複数のスリットを設けたスリット部材、光センサおよび光源を有し、前記スリットを通過した前記光源からの光を前記光センサで検出することにより、パネル受け手段の移動距離を計測するように構成されたことを特徴とする。
【００１１】
以下、本発明の一実施の形態について、図面を参照しつつ説明する。
【００１２】
図１は、本発明の一実施の形態におけるディスプレイパネルの点灯検査装置の全体構成を示している。図１において、７はプラズマディスプレイパネルなどのディスプレイパネルで、このディスプレイパネル７の周辺端部には、電極を延長することにより形成された複数の電極端子からなる電極端子ブロックが複数配置されており、この電極端子に外部から電圧を印加することにより画像表示が行われる。
【００１３】
図１において、８はディスプレイパネル７の点灯検査を行うときにディスプレイパネル７が配置される本体ベース部であり、この本体ベース部８上には、ディスプレイパネル７の４隅を保持するパネル受け手段９が配設され、さらに、ディスプレイパネル７を載置するためのシャーシ（パネル保持部）１０が本体ベース部８に平行になるように設けられている。パネル受け手段９は昇降運動ができるように構成されている。すなわち、パネル受け手段９は本体ベース部８に垂直なｚ方向に移動するように構成されている。また、ディスプレイパネル７の電極端子ブロックが形成された辺に対応する位置には、ディスプレイパネル７に点灯信号を印加するための信号供給手段１１，１２が配置されている。
【００１４】
図２は、ディスプレイパネル７をシャーシ１０上に載置したときのディスプレイパネル７の端部近傍を示す側面図である。図２に示すように、本体ベース部８上には、ディスプレイパネル７を点灯表示させるための駆動回路を設けた回路基板１３を取り付けており、駆動回路からの点灯信号は、回路基板１３に接続された信号伝達手段１４によってディスプレイパネル７の電極端子に供給される。信号伝達手段１４は例えばＦＰＣによって構成される。また、本体ベース部８上に、矢印１５の方向に移動可能なスライドベース１６を設けており、このスライドベース１６には、信号伝達手段１４の端部を固定するための保持手段１７、および、ディスプレイパネル７に点灯信号が供給されるようにディスプレイパネル７の電極端子と信号伝達手段１４の端子とを接触させて保持するための接触接続手段１８を設けている。接触接続手段１８は、先端部が開閉自在となるように軸支された押えユニット１９ａおよび受けユニット１９ｂと、それらを回動させるための駆動手段１９ｃとによって構成されており、押えユニット１９ａおよび受けユニット１９ｂによって信号伝達手段１４をディスプレイパネル７に押しつけることにより、駆動回路からの点灯信号が、信号伝達手段１４を介してディスプレイパネル７の電極端子に供給されるように構成されている。そして、スライドベース１６、保持手段１７および接触接続手段１８によって、前述の信号供給手段１１を構成する。信号供給手段１２についても信号供給手段１１と同様の構成である。
【００１５】
また、ディスプレイパネル７を保持するパネル受け手段９は本体ベース部８に対して垂直方向に可動であり、パネル受け手段９の移動速度は速度制御装置２０によって制御される。パネル受け手段９にはスリット部材２１が取り付けられており、スリット部材２１には複数のスリット２１ａが所定の間隔で並んで形成されている。本体ベース部８には光センサ２２が取り付けられている。また、図２では省略しているが、図３に示すように所定の位置に光源２３が設けられている。すなわち、光センサ２２と光源２３との間にスリット部材２１が位置するように配置されており、パネル受け手段９の移動に伴ってスリット部材２１が移動する際、１つのスリット２１ａを通過した光源２３からの光を光センサ２２で検出することにより、パネル受け手段９の移動距離を計測するように構成されている。このように、スリット部材２１、光センサ２２および光源２３によってパネル受け手段９の移動距離を計測する計測手段２４を構成しており、速度制御装置２０は、計測手段２４の計測値に応じてパネル受け手段９の速度を制御する。
【００１６】
次に、本実施の形態による点灯検査装置の動作について説明する。
【００１７】
まず、図４に示すように、点灯検査対象のディスプレイパネル７を、表示面を上側にしてパネル受け手段９に装着する。このとき、信号供給手段１１は、ディスプレイパネル７と干渉することのないようにシャーシ１０から離れた位置に退避しており、押えユニット１９ａと受けユニット１９ｂの先端部が開いた状態になっている。また、ディスプレイパネル７とシャーシ１０とは接触しておらず、或る一定の間隔が保たれてほぼ平行になっており、この時点でディスプレイパネル７が衝撃により破損することはない。なお、信号供給手段１２は信号供給手段１１と同様の状態となっている。
【００１８】
その後、ディスプレイパネル７を保持している全てのパネル受け手段９を同時に下降させることにより、ディスプレイパネル７をシャーシ１０に接触するまで下降させてシャーシ１０上に載置する。このとき、全てのパネル受け手段９のそれぞれに取り付けられたスリット部材２１も下降することにより、光源２３と光センサ２２との間をスリット部材２１のスリット２１ａが通過するたびに、光源２３からの光が光センサ２２によって検知される。スリット２１ａは一定の間隔で形成されているため、パネル受け手段９の移動距離に応じた回数の光が光センサ２２に入射することになる。例えば、スリット２１ａが５ｍｍ間隔で形成されたスリット部材２１を使用した場合、パネル受け手段９が３０ｍｍ移動する間に、光源２３からの光がスリット２１ａを通過して光センサ２２に入射する回数は３０ｍｍ÷５ｍｍ＝６回になる。ここで、パネル受け手段９を下降させる間、各パネル受け手段９に対応して設けられた光センサ２２へ入射する光の回数が同じ値になるように、各パネル受け手段９の速度を速度制御装置２０により制御する。これによれば、ディスプレイパネル７がシャーシ１０と接触するまで下降する間、常にパネル受け手段９の移動距離のばらつきを所定の範囲内に抑えることができるので、ディスプレイパネル７がシャーシ１０の表面に対して極端に傾いた状態になることはない。このように、スリット部材２１、光センサ２２および光源２３からなる計測手段２４と速度制御装置２０とによって、パネル受け手段９の移動距離のばらつきが所定の範囲内になるようにパネル受け手段９を制御する制御手段を構成している。
【００１９】
以上のように、ディスプレイパネル７をシャーシ１０上に載置した後、信号供給手段１１，１２をディスプレイパネル７に近づく方向に移動させる。このときの状態を表しているのが図２であり、その後、押えユニット１９ａと受けユニット１９ｂの少なくとも一方を回動させて押えユニット１９ａと受けユニット１９ｂとの間にディスプレイパネル７の端部と信号伝達手段１４の端部を挟み込む。これにより、ディスプレイパネル７の電極端子と信号伝達手段１４の端子とが接触した状態で保持される。
【００２０】
次に、回路基板１３に設けた駆動回路から信号伝達手段１４を介してディスプレイパネル７に点灯信号を供給し、点灯表示して点灯検査を行う。点灯検査が終了すると、押えユニット１９ａと受けユニット１９ｂとによってディスプレイパネル７の端部と信号伝達手段１４の端部を挟んだ状態を解除した後、信号供給手段１１，１２とディスプレイパネル７との干渉を避けるため、信号供給手段１１，１２をディスプレイパネル７から離れる方向に移動させた後、ディスプレイパネル７を取り外して次の検査対象のものと交換し、上記と同じ動作を繰り返すことにより点灯検査を実施する。
【００２１】
ところで、本実施の形態による点灯検査装置において、もし速度制御装置２０および計測手段２４が装備されていなければ次のような不具合が発生する。すなわち、ディスプレイパネル７をシャーシ１０上に載置するためにパネル受け手段９を下降させているとき、何らかの不具合が発生して４個のパネル受け手段９のうち動くものと動かないものが発生した場合、図５に示すようにディスプレイパネル７が傾いた状態となり、シャーシ１０上にディスプレイパネル７を適切に載置できなくなり、場合によってはディスプレイパネル７に傷が生じたり破損することがある。また、ディスプレイパネル７の点灯状態を人間が見て判断する場合、その点灯状態が見やすくなるように、本体ベース部８を斜めに立てた状態で点灯検査を行うことがある。このとき、本体ベース部８を斜めに立てた状態でディスプレイパネル７を交換することになるが、前述のように、４個のパネル受け手段９のうち例えば或る１個のパネル受け手段９が動かず、他の３個のパネル受け手段９が動いた場合には、ディスプレイパネル７が安定に保持することができなくなり落下して破損してしまうことになる。
【００２２】
しかし、本実施の形態による点灯検査装置は、スリット部材２１、光センサ２２および光源２３からなる計測手段２４と速度制御装置２０とを有しており、スリット部材２１のスリット２１ａを通過した光源２３からの光を光センサ２２が受けることにより、パネル受け手段９の移動距離を検出し、パネル受け手段９の移動距離のばらつきが所定の範囲内になるよう、速度制御装置２０によりパネル受け手段９の移動速度を制御する。したがって、パネル受け手段９の移動距離が大きく異なる状態になることがないので、ディスプレイパネル７の落下破損などが発生することはなく、ディスプレイパネル７をシャーシ１０に安定して装着することが可能である。これにより、検査工程でのロスコストを大幅に低減することができる。
【００２３】
なお、上記実施の形態では、４個のパネル受け手段９がそれぞれ移動する場合について説明したが、例えば本体ベース部８の短辺に沿って配置された２個のパネル受け手段９同士をつなげた構造にして機構的に同時に動くようにした場合には、そのつなげたものを１個のパネル受け手段と考えて上記実施の形態のような制御を行えばよい。また、スリット部材２１を所定位置に固定し、光センサ２２および光源２３がパネル受け手段９とともに動くように構成してもよい。
【産業上の利用可能性】
【００２４】
以上のように本発明によれば、ディスプレイパネルをシャーシに安定して装着でき、プラズマディスプレイパネルなどのようなディスプレイパネルの点灯検査に用いることができる。
【図面の簡単な説明】
【００２５】
【図１】本発明の一実施の形態によるディスプレイパネルの点灯検査装置の全体構成を示す図
【図２】同点灯検査装置の一部構成を示す側面図
【図３】同点灯検査装置の計測手段の概略構成を示す側面図
【図４】同点灯検査装置においてディスプレイパネルをパネル受け手段に装着したときの要部を示す側面図
【図５】同点灯検査装置においてパネル受け手段が正常に動作しないときの状態を示す図
【図６】ディスプレイパネルの点灯検査装置における概略構成を示すブロック図
【符号の説明】
【００２６】
７  ディスプレイパネル
９  パネル受け手段
１０  シャーシ（パネル保持部）
２０  速度制御装置
２１  スリット部材
２２  光センサ
２３  光源
２４  計測手段
【図１】
2005148361.tif 000003
【図２】
2005148361.tif 000004
【図３】
2005148361.tif 000005
【図４】
2005148361.tif 000006
【図５】
2005148361.tif 000007
【図６】
2005148361.tif 000008